(57)【要約】【課題】自転車用子供乗せに着座した子供がシートベルトのロック操作具を操作することを防止する。【解決手段】この自転車用子供乗せ１００は、座部１１０と、背凭れ部１２０と、座部１１０の前側と背凭れ部１２０の上部との間に掛け渡されるシートベルト１３０とを含む。シートベルト１３０は、座部１１０の前側における固定シートベルト１４６およびこの固定シートベルト１４６により固定されるバックル１４０を介して、背凭れ部１２０の上部におけるベルト固定部１２４との間に掛け渡される、いわゆる５点式のシートベルトであって、このシートベルト１３０を巻き取るベルト巻取具１５０が、この自転車用子供乗せ１００の背凭れ部１２０の後側に設けられている。【選択図】図１
2017190116.tif 000002
【特許請求の範囲】
【請求項１】
座部と、背凭れ部と、座部の前側と背凭れ部の上部との間に掛け渡されるシートベルトとを含む自転車用子供座席であって、
前記シートベルトを巻き取るベルト巻取具が、前記背凭れ部の後側に設けられている、自転車用子供座席。
【請求項２】
前記背凭れ部において、前記ベルト巻取具と、前記背凭れ部に設けられたシートベルトの取り出し孔とが上下方向の反対側に位置する、請求項１に記載の自転車用子供座席。
【請求項３】
前記ベルト巻取具が、前記背凭れ部の後側の上方に設けられ、前記背凭れ部の上部の左右にそれぞれ固定される２本のシートベルトを、前記背凭れ部の下側に設けられた取り出し孔と前記背凭れ部の後側とを経由して巻き取る、請求項１または請求項２に記載の自転車用子供座席。
【請求項４】
前記ベルト巻取具が、前記背凭れ部の後側の下方に設けられ、前記背凭れ部の下部の左右にそれぞれ固定される２本のシートベルトを、前記背凭れ部の上側に設けられた取り出し孔と前記背凭れ部の後側とを経由して巻き取る、請求項１または請求項２に記載の自転車用子供座席。
【請求項５】
前記ベルト巻取具が、前記２本のシートベルトを１本のシートベルトに結合した後に巻き取る、請求項２〜請求項４のいずれかに記載の自転車用子供座席。
【請求項６】
前記背凭れ部において、前記ベルト巻取具と、前記背凭れ部に設けられたシートベルトの取り出し孔とが上下方向の同じ側に位置する、請求項１に記載の自転車用子供座席。
【請求項７】
前記ベルト巻取具が、前記背凭れ部の後側の下方に設けられ、前記背凭れ部の上部の左右にそれぞれ固定される２本のシートベルトを、前記背凭れ部の下側に設けられた取り出し孔を経由して巻き取る、請求項１または請求項６に記載の自転車用子供座席。
【請求項８】
前記ベルト巻取具が、前記背凭れ部の後側の上方に設けられ、前記背凭れ部の下部の左右にそれぞれ固定される２本のシートベルトを、前記背凭れ部の上側に設けられた取り出し孔を経由して巻き取る、請求項１または請求項６に記載の自転車用子供座席。
【請求項９】
前記ベルト巻取具が、前記２本のシートベルトを重ねて巻き取る、請求項７または請求項８に記載の自転車用子供座席。
【請求項１０】
前記２本のシートベルトのそれぞれの中途部および前記座部の前側には、互いに着脱自在に連結されるオス部材およびメス部材がそれぞれ設けられる、請求項３〜８、請求項７〜９のいずれかに記載の自転車用子供座席。
【請求項１１】
前記背凭れ部の後側に、前記シートベルトを折り返してから前記ベルト巻取具により巻き取るためのベルト折り返し部をさらに備える、請求項１〜請求項１０のいずれかに記載の自転車用子供座席。
【請求項１２】
前記背凭れ部の後側に１個設けられたベルト巻取具は、２本のシートベルトを１本ずつ巻き取る巻取用回転体を２個備える、請求項１に記載の自転車用子供座席。
【請求項１３】
前記巻取用回転体は、巻取バネによりシートベルトの巻き取り方向に回転自在に付勢され、
前記ベルト巻取具には、２個の巻取用回転体の回転を不能にする１個の回転ロック機構が設けられている、請求項１２に記載の自転車用子供座席。
【発明の詳細な説明】
【技術分野】
【０００１】
本発明は、自転車の前側および／または後側であって自転車に取り付けられた子供乗せ（チャイルドシート、子供用座席、幼児用座席等ともいう）に関し、特に、シートベルトを巻き取る巻取用回転体を備え、この巻取用回転体の回転を不能にする回転ロック機構を子供が容易に操作することができない子供乗せに関する。
【背景技術】
【０００２】
自転車に取り付けられる自転車用幼児座席（本発明においては自転車用子供座席と同意）や自動車の座席に取り付けられるチャイルドシート等の幼児座席（本発明においては子供座席と同意）に装着されるシートベルト巻取装置には、幼児（本発明においては子供と同意）を幼児座席に拘束するためのシートベルトを繰り出し自在に巻き取る巻取用回転体を有し、この巻取用回転体を巻取バネによりシートベルトの巻き取り方向に付勢し、シートベルトが邪魔にならないように繰り出し自在に巻き取るようにしたものがある。
【０００３】
この種の従来のシートベルト巻取装置には、巻取用回転体の回転を不能にする回転ロック機構と、回転ロック機構をロック状態とアンロック状態とに切り換えるロック用操作具とを具備し、ロック用操作具を回動操作して回転ロック機構をロック状態にしておくことにより、幼児座席に着座した幼児がいたずらでシートベルトを長く繰り出すことができなくして、幼児に対してシートベルトの良好な装着状態を保持することができるようにしたものがある（たとえば特許文献１）。
【先行技術文献】
【特許文献】
【０００４】
【特許文献１】特開２０１０−２５４０９５号公報
【発明の概要】
【発明が解決しようとする課題】
【０００５】
しかしながら、上述した特許文献１の自転車用幼児座席においては、シートベルトを巻き取るベルト巻取具が、座部の前側であって、座部の左右方向中央部の前方（幼児座席に着座した幼児の股部）に設けられているために、幼児座席に着座した幼児がいたずらでロック用操作具を回動操作等することにより、回転ロック機構がアンロック状態に切り換わり、幼児に装着したシートベルトが巻取用回転体から不測に繰り出してしまう可能性を完全に排除することが困難であった。また、このような可能性を排除するために回転ロック機構におけるロック状態からアンロック状態への切り換わりを幼児には難しい操作になるようにすることも考えられるが、それでは回転ロック機構が複雑な構造となり、幼児の親等が行う操作性が悪くなったり、部品点数の増加に伴い耐久性を阻害したり高価になったりする。
【０００６】
本発明は、従来技術の上述の問題点に鑑みて開発されたものであり、その目的とするところは、簡単な構造で操作性が好ましく安価で耐久性の高い回転ロック機構であっても、自転車用子供乗せに着座させた子供がいたずらでロック操作具を操作することを防止できて、子供に装着したシートベルトが巻取用回転体から不測に繰り出してしまう可能性を確実に防止することのできる自転車用子供乗せを提供することを目的とする。
【課題を解決するための手段】
【０００７】
上記目的を達成するため、本発明に係る自転車用子供乗せは、以下の技術的手段を講じている。
すなわち、この自転車用子供乗せは、座部と、背凭れ部と、座部の前側と背凭れ部の上部との間に掛け渡されるシートベルトとを含む自転車用子供座席であって、前記シートベルトを巻き取るベルト巻取具が、前記背凭れ部の後側に設けられている。
【０００８】
好ましくは、前記背凭れ部において、前記ベルト巻取具と、前記背凭れ部に設けられたシートベルトの取り出し孔とが上下方向の反対側に位置するように構成することができる。
さらに好ましくは、前記ベルト巻取具が、前記背凭れ部の後側の上方に設けられ、前記
背凭れ部の上部の左右にそれぞれ固定される２本のシートベルトを、前記背凭れ部の下側に設けられた取り出し孔と前記背凭れ部の後側とを経由して巻き取るように構成することができる。
【０００９】
さらに好ましくは、前記ベルト巻取具が、前記背凭れ部の後側の下方に設けられ、前記背凭れ部の下部の左右にそれぞれ固定される２本のシートベルトを、前記背凭れ部の上側に設けられた取り出し孔と前記背凭れ部の後側とを経由して巻き取るように構成することができる。
さらに好ましくは、前記ベルト巻取具が、前記２本のシートベルトを１本のシートベルトに結合した後に巻き取るように構成することができる。
【００１０】
さらに好ましくは、前記背凭れ部において、前記ベルト巻取具と、前記背凭れ部に設けられたシートベルトの取り出し孔とが上下方向の同じ側に位置するように構成することができる。
さらに好ましくは、前記ベルト巻取具が、前記背凭れ部の後側の下方に設けられ、前記背凭れ部の上部の左右にそれぞれ固定される２本のシートベルトを、前記背凭れ部の下側に設けられた取り出し孔を経由して巻き取るように構成することができる。
【００１１】
さらに好ましくは、前記ベルト巻取具が、前記背凭れ部の後側の上方に設けられ、前記背凭れ部の下部の左右にそれぞれ固定される２本のシートベルトを、前記背凭れ部の上側に設けられた取り出し孔を経由して巻き取るように構成することができる。
さらに好ましくは、前記ベルト巻取具が、前記２本のシートベルトを重ねて巻き取るように構成することができる。
【００１２】
さらに好ましくは、前記２本のシートベルトのそれぞれの中途部および前記座部の前側には、互いに着脱自在に連結されるオス部材およびメス部材がそれぞれ設けられるように構成することができる。なお、前記２本のシートベルトのそれぞれの中途部にオス部材が設けられ、前記座部の前側にメス部材が設けられていても、前記２本のシートベルトのそれぞれの中途部にメス部材が設けられ、前記座部の前側にオス部材が設けられていても、構わない。
【００１３】
さらに好ましくは、前記背凭れ部の後側に、前記シートベルトを折り返してから前記ベルト巻取具により巻き取るためのベルト折り返し部をさらに備えるように構成することができる。
さらに好ましくは、前記背凭れ部の後側に１個設けられたベルト巻取具は、２本のシートベルトを１本ずつ巻き取る巻取用回転体を２個備えるように構成することができる。
【００１４】
さらに好ましくは、前記巻取用回転体は、巻取バネによりシートベルトの巻き取り方向に回転自在に付勢され、前記ベルト巻取具には、２個の巻取用回転体の回転を不能にする１個の回転ロック機構が設けるように構成することができる。
【発明の効果】
【００１５】
本発明に係る自転車用子供乗せによれば、自転車用の子供乗せに着座した子供がいたずらでロック操作具を操作することを防止できて、子供に装着したシートベルトが巻取用回転体から不測に繰り出してしまう可能性を確実に防止することができる。
【図面の簡単な説明】
【００１６】
【図１】本発明の第１の実施の形態に係る自転車用子供乗せの（Ａ）正面図、（Ｂ）断面を含む側面図、（Ｃ）背面図である。
【図２】図１に示す自転車用子供乗せの（Ａ）上面図、（Ｂ）底面図である。
【図３】本発明の第２の実施の形態に係る自転車用子供乗せの（Ａ）正面図、（Ｂ）断面を含む側面図、（Ｃ）背面図である。
【図４】図３に示す自転車用子供乗せの（Ａ）上面図、（Ｂ）底面図である。
【図５】本発明の第３の実施の形態に係る自転車用子供乗せの（Ａ）正面図、（Ｂ）断面を含む側面図、（Ｃ）背面図である。
【図６】図５に示す自転車用子供乗せの（Ａ）上面図、（Ｂ）断面を含む上面図、（Ｃ）底面図である。
【図７】本発明の第４の実施の形態に係る自転車用子供乗せの（Ａ）正面図、（Ｂ）断面を含む側面図、（Ｃ）背面図である。
【図８】図７に示す自転車用子供乗せの（Ａ）上面図、（Ｂ）底面図である。
【図９】本発明の第５の実施の形態に係る自転車用子供乗せの（Ａ）正面図、（Ｂ）断面を含む側面図、（Ｃ）背面図である。
【図１０】図９に示す自転車用子供乗せの（Ａ）上面図、（Ｂ）底面図である。
【図１１】本発明の実施の形態に係る自転車用子供乗せに適用可能な、本発明の変形例に係るベルト巻取具の分解斜視図である。
【図１２】図１１の部分拡大図である。
【発明を実施するための形態】
【００１７】
＜第１の実施の形態＞
以下、本発明の第１の実施の形態に係る自転車用子供乗せ１００について、この自転車用子供乗せ１００の正面図（図１（Ａ））、断面を含む側面図（図１（Ｂ））、背面図（図１（Ｃ））、上面図（図２（Ａ））、底面図（図２（Ｂ））を参照して詳しく説明する。
【００１８】
なお、図示しないが、かつ、限定されるものではないが、この自転車用子供乗せ１００は、たとえば、自転車の前側に取り付けられる場合には、自転車のハンドルの左右立上がり部の間のハンドルステムにその底部がボルト等により取り付けられ、自転車の後側に取り付けられる場合には、自転車の後部荷台にその底部がボルト等により取り付けられる。ここで、以下において、前後方向は自転車の進行方向と同じ方向であって、左右方向は自転車の搭乗者（自転車用子供乗せ１００に着座した子供も同じ）から見た左右方向である。また、この自転車用子供乗せ１００は、自転車の前側に取り付けられる場合であっても自転車の後側に取り付けられる場合であっても、グリップ１１２が前側になるように取り付けられる。
【００１９】
これらの図１および図２に示すように、この自転車用子供乗せ１００は、大略的には、座部１１０と、背凭れ部１２０と、シートベルト１３０（右側シートベルト１３０Ｒおよび左側シートベルト１３０Ｌならびに固定シートベルト１４６）とを含む。
シートベルト１３０は、座部１１０の前側と背凭れ部１２０の上部との間に掛け渡される。より詳しくは、シートベルト１３０は、座部１１０の前側における固定シートベルト１４６およびこの固定シートベルト１４６により固定されるバックル１４０を介して、背凭れ部１２０の上部におけるベルト固定部１２４との間に掛け渡された左右２本のシートベルト１３０（右側シートベルト１３０Ｒおよび左側シートベルト１３０Ｌ）と、固定シートベルト１４６とにより、構成される、いわゆる５点式のシートベルトである。
【００２０】
そして、この自転車用子供乗せ１００の特徴的な構成として、シートベルト１３０を巻き取るベルト巻取具１５０が、背凭れ部１２０の後側に設けられている点がある。さらに詳しくは、このベルト巻取具１５０は、背凭れ部１２０の後側の上方に設けられ、背凭れ部１２０の上部の左右においてベルト固定部１２４にそれぞれ固定される２本のシートベルト１３０（右側シートベルト１３０Ｒおよび左側シートベルト１３０Ｌ）を、バックル１４０の孔１４２Ｈを通して、背凭れ部１２０の下側の左右に設けられた孔１２６と背凭れ部１２０の後側とを経由して巻き取る。
【００２１】
このベルト巻取具１５０は、２本のシートベルト１３０（右側シートベルト１３０Ｒおよび左側シートベルト１３０Ｌ）を結合部１３２で１本の結合シートベルト１３４に結合した後に巻き取る。このようなベルト巻取具１５０としては、たとえば、本出願人により出願されて国際公開された国際公開ＷＯ２０１５／１２５２５７号公報に開示されたシートベルト巻取装置１８を採用することができる。
【００２２】
なお、このベルト巻取具１５０に代えて、２本のシートベルト１３０（右側シートベルト１３０Ｒおよび左側シートベルト１３０Ｌ）を１本の結合シートベルト１３４に結合することなく、２本のシートベルトを巻き取るベルト巻取具を採用しても構わない。このようなベルト巻取具としては、たとえば、本出願人により出願された特許文献１に開示されたベルト巻取具５２を採用することができる。
【００２３】
一重巻取りタイプ（シートベルト巻取装置１８）および二重巻取りタイプ（ベルト巻取
具５２）のいずれを採用するにしても、シートベルトの巻取り巻出し口１５２は下方を向いている。
さらに詳しく、この自転車用子供乗せ１００について説明する。なお、上述した特徴的な構成以外は、基本的には一般的な自転車用子供乗せの構成を備えるために、この特徴的な構成以外については、ここでは詳細に説明しない点がある。
【００２４】
座部１１０について説明する。座部１１０の前方には、この自転車用子供乗せ１００に着座した子供がその手で握るグリップ１１２が設けられており、座部１１０の左右方向中央部の前方（着座した子供の股部あたり）には、バックル１４０に連結された固定シートベルト１４６を固定する固定部１１４が設けられている。
背凭れ部１２０について説明する。背凭れ部１２０の上方には、子供の成長とともに高さ方向の位置が調整できるヘッドレスト１２２が設けられており、そのヘッドレスト１２２の下方（背凭れ部１２０の上部）の左右側には、左右２本のシートベルト１３０（右側シートベルト１３０Ｒおよび左側シートベルト１３０Ｌ）を固定するベルト固定部１２４が設けられている。このベルト固定部１２４の高さ方向の位置も子供の成長とともに調整できることが好ましい。
【００２５】
背凭れ部１２０の下側の左右には、バックル１４０の孔１４２Ｈを通した後の左右２本のシートベルト１３０（右側シートベルト１３０Ｒおよび左側シートベルト１３０Ｌ）を通して、シートベルト１３０を背凭れ部１２０の後側に取り回すための孔１２６が設けられている。
２本のシートベルト１３０（右側シートベルト１３０Ｒおよび左側シートベルト１３０Ｌ）について説明する。これらの２本のシートベルト１３０は、上述した孔１２６を通して取り回された背凭れ部１２０の後側において、結合部１３２で１本の結合シートベルト１３４に結合されている。なお、ベルト巻取具１５０による２本のシートベルト１３０（右側シートベルト１３０Ｒおよび左側シートベルト１３０Ｌ）および／または結合シートベルト１３４の巻取りおよび巻出しに支障がないように、背凭れ部１２０の背面に、シートベルトを摺動可能に保持する保持ガイドを設けることも好ましい。
【００２６】
バックル１４０は、たとえば図２（Ａ）の拡大図に示すように、左右一対のオス部材１４２とこれらのオス部材１４２に係合するメス部材１４４とから構成される。オス部材１４２には、シートベルト１３０を通すための孔１４２Ｈがシートベルト１３０を摺動可能に設けられている。メス部材１４４には、固定シートベルト１４６を通すための孔１４６Ｈが設けられている。ここで、メス部材をシートベルト１３０に、オス部材を固定シートベルト１４６に取り付けるようにしても構わない。
【００２７】
なお、２本のシートベルト１３０（右側シートベルト１３０Ｒおよび左側シートベルト１３０Ｌ）のベルト固定部１２４側には、シートベルトカバー１６０を設けることが好ましい。このシートベルトカバー１６０は、シートベルト１３０自体よりも柔らかい素材で構成されており、着座した子供の肩部に当接してシートベルト１３０自体が直接当接することを防いで、痛みを緩和することができる。また、シートベルトカバー１６０をシートベルト１３０から取り外せるようにすると、洗濯する場合等に容易に取り外すことができるので好ましい。
【００２８】
以上のような構成を備えた本実施の形態に係る自転車用子供乗せ１００の使用方法について説明する。
この自転車用子供乗せ１００に子供を着座させていない場合には、バックル１４０のオス部材１４２とメス部材１４４とが係合していても係合していなくても、２本のシートベルト１３０（右側シートベルト１３０Ｒおよび左側シートベルト１３０Ｌ）は、ベルト巻取具１５０により巻き取られており、背凭れ部１２０のベルト固定部１２４からバックル１４０のオス部材１４２を経由してベルト巻取具１５０まで最短の長さに保持されている。
【００２９】
バックル１４０のオス部材１４２とメス部材１４４とが係合している場合にはその係合を開放して、子供を自転車用子供乗せ１００の座部１１０に着座させる。なお、係合が開放されたシートベルト１３０は、ベルト巻取具１５０により、バックル１４０のオス部材
１４２が背凭れ部１２０の孔１２６あたりまで、巻き取られる。子供を座部１１０に着座させると、背凭れ部１２０の孔１２６あたりにあるバックル１４０のオス部材１４２を引っ張って（このときシートベルト１３０は背凭れ部１２０の下方に設けられた孔１２６から伸びてくる）ベルト巻取具１５０からシートベルト１３０を引き出して、バックル１４０のオス部材１４２とメス部材１４４とを係合させる。このとき、シートベルト１３０におけるベルト固定部１２４からバックル１４０までの部分（シートベルトカバー１６０の部分）が子供の左右両側の肩部を押圧して、シートベルト１３０におけるバックル１４０から孔１２６までの部分が子供の左右両側の腰部を押圧して、バックル１４０に連結された固定シートベルト１４６が子供の股部を押圧して、子供を５点で拘束することができる。
【００３０】
この自転車用子供乗せ１００にこのように拘束された子供は、背凭れ部１２０の後側の上方に設けられているベルト巻取具１５０まで手が届かない。このため、子供がベルト巻取具１５０を操作することが不可能になり、シートベルト１３０を巻き取る巻取用回転体の回転を不能にする回転ロック機構を操作することが不可能になる。その結果、子供に装着したシートベルト１３０がベルト巻取具１５０から不測に繰り出してしまう可能性を確実に防止することができる。
【００３１】
特に、簡単な構造で操作性が好ましく安価で耐久性の高い回転ロック機構を備えたベルト巻取具１５０であっても、そもそも子供の手が届かないので、子供に装着したシートベルト１３０がベルト巻取具１５０から不測に繰り出してしまう可能性を確実に防止することができる。
一方、ベルト巻取具１５０が背凭れ部１２０の後側に設けられているために、子供の親等はベルト巻取具１５０を極めて容易に操作することができる。すなわち、この自転車用子供乗せ１００が自転車の前側に取り付けられている場合には、自転車のハンドルの左右立上がり部の間のハンドルステムにその底部がボルト等により取り付けられており、ベルト巻取具１５０は自転車のサドル側の自由空間に面しており、ベルト巻取具１５０の操作を阻害する構造物が存在しない。さらに、サドルに着座した親等がベルト巻取具１５０の操作することが可能である。この自転車用子供乗せ１００が自転車の後側に取り付けられる場合には、自転車の後部荷台にその底部がボルト等により取り付けられており、ベルト巻取具１５０は自転車の後部荷台の後側の自由空間に面しており、ベルト巻取具１５０の操作を阻害する構造物が存在しない。
【００３２】
さらに、子供を座部１１０に着座させた後に、背凭れ部１２０の孔１２６あたりにあるバックル１４０のオス部材１４２を引っ張って（このときシートベルト１３０は背凭れ部１２０の下方に設けられた孔１２６から伸びてくる）ベルト巻取具１５０からシートベルト１３０を引き出すために（ベルト固定部１２４側からシートベルト１３０を引き出さないために）、シートベルトカバー１６０がシートベルト１３０からずれることを防止することができる。特に、シートベルトカバー１６０をシートベルト１３０から取り外せる構成した場合であっても、着座させる度にシートベルトカバー１６０がシートベルト１３０からずれてしまうこと、が発生しないので好ましい。
【００３３】
なお、この自転車用子供乗せ１００に着座している子供を下ろす場合には、上述した手順とは逆の手順により子供をこの自転車用子供乗せ１００から下ろすことになる。
以上のようにして、本実施の形態に係る自転車用子供乗せ１００によると、座部に着座した子供がいたずらでロック操作具を操作することを防止できて、子供に装着したシートベルトが巻取用回転体から不測に繰り出してしまう可能性を確実に防止することができる。
＜第２の実施の形態＞
以下、本発明の第２の実施の形態に係る自転車用子供乗せ２００について、この自転車用子供乗せ２００の正面図（図３（Ａ））、断面を含む側面図（図３（Ｂ））、背面図（図３（Ｃ））、上面図（図４（Ａ））、底面図（図４（Ｂ））を参照して詳しく説明する。
【００３４】
なお、この自転車用子供乗せ２００は、上述した第１の実施の形態に係る自転車用子供
乗せ１００とベルト巻取具の取付位置は略同じであるが、シートベルトの取り回しが異なる。それ以外の構造であって第１の実施の形態と同じ構造については第１の実施の形態と同じ符号を付している。それらについての説明は、上述した説明と重複するために、ここでは繰り返して説明しない。
【００３５】
これらの図３および図４に示すように、本実施の形態に係る自転車用子供乗せ２００の特徴的な構成として、ベルト巻取具１５０は、背凭れ部１２０の後側の上方に設けられ、背凭れ部１２０の上部の左右においてベルト固定部１２４にそれぞれ固定される２本のシートベルト１３０（右側シートベルト１３０Ｒおよび左側シートベルト１３０Ｌ）を、バックル１４０の孔１４２Ｈを通して、背凭れ部１２０の下側の左右に設けられた孔１２６と背凭れ部１２０の後側とベルト折り返し部２３０とを経由して巻き取る。第１の実施の形態に係る自転車用子供乗せ１００が備えないベルト折り返し部２３０を、この自転車用子供乗せ２００は備える。
【００３６】
このベルト折り返し部２３０は、背凭れ部１２０の背面側に、１本に結合後の結合シートベルト１３４を摺動可能に保持する、下側保持ガイド２３２および上側保持ガイド２３４で構成される。なお、下側保持ガイド２３２と上側保持ガイド２３４との間隔は、ベルト巻取具１５０から引き出される結合シートベルト１３４の長さに対応して設定される。
このようなベルト折り返し部２３０を備えることにより、ベルト巻取具１５０から引き出される（巻き取られる）シートベルトの長さを長くすることができる。特に、ベルト巻取具１５０として一重巻取りタイプ（シートベルト巻取装置１８）を採用した場合に、ベルト巻取具１５０から引き出される（巻き取られる）結合シートベルト１３４の長さを長くできるので、この自転車用子供乗せ２００に子供を乗せる場合に、背凭れ部１２０の孔１２６あたりにあるバックル１４０のオス部材１４２を大きく（長く）引っ張ってベルト巻取具１５０からシートベルト１３０を引き出すことができることができる点で好ましい。
【００３７】
以上のようにして、本実施の形態に係る自転車用子供乗せ２００によっても、上述した第１の実施の形態に係る自転車用子供乗せ１００と同様の作用効果を発現することができる。
＜第３の実施の形態＞
以下、本発明の第３の実施の形態に係る自転車用子供乗せ３００について、この自転車用子供乗せ３００の正面図（図５（Ａ））、断面を含む側面図（図５（Ｂ））、背面図（図５（Ｃ））、上面図（図６（Ａ））、断面を含む上面図（図６（Ｂ））底面図（図６（Ｃ））を参照して詳しく説明する。
【００３８】
なお、この自転車用子供乗せ２００は、上述した第１の実施の形態に係る自転車用子供乗せ１００からベルト巻取具の取付位置が変更され、その取付位置の変更に伴いシートベルトの取り回しが異なる。それ以外の構造であって第１の実施の形態と同じ構造については第１の実施の形態と同じ符号を付している。それらについての説明は、上述した説明と重複するために、ここでは繰り返して説明しない。
【００３９】
これらの図５および図６に示すように、本実施の形態に係る自転車用子供乗せ３００の特徴的な構成として、ベルト巻取具３５０は、背凭れ部１２０の後側の下方に設けられ、背凭れ部１２０の上部の左右においてベルト固定部１２４にそれぞれ固定される２本のシートベルト１３０（右側シートベルト１３０Ｒおよび左側シートベルト１３０Ｌ）を、バックル１４０の孔１４２Ｈを通して、背凭れ部１２０の下側の左右に設けられた孔１２６と背凭れ部１２０の後側とを経由して巻き取る。第１の実施の形態に係る自転車用子供乗せ１００のベルト巻取具１５０が背凭れ部１２０の後側の上方に設けられていたことに対して、この自転車用子供乗せ３００のベルト巻取具３５０は背凭れ部１２０の後側の下方に設けられている。また、この自転車用子供乗せ３００におけるベルト巻取具３５０は、一重巻取りタイプ（シートベルト巻取装置１８）を積極的に排除するものではないが、二重巻取りタイプ（ベルト巻取具５２）が好ましい。この場合において、ベルト巻取具３５０は、シートベルトの巻取り巻出し口として、右側シートベルト１３０Ｒ用の巻取り巻出し口３５２Ｒおよび左側シートベルト１３０Ｌ用の巻取り巻出し口３５２Ｌを左右側にそ
れぞれ備えている。
【００４０】
このような背凭れ部１２０の後側の下方にベルト巻取具３５０を備えることにより、ベルト巻取具３５０が背凭れ部１２０の後側に設けられることには違いなく、背凭れ部１２０の後側の上方に設けられた場合（第１の実施の形態および第２の実施の形態）と同様に、この自転車用子供乗せ３００に拘束された子供は、背凭れ部１２０の後側の下方に設けられているベルト巻取具３５０まで手が届かない。このため、子供がベルト巻取具３５０を操作することが不可能になり、シートベルト１３０を巻き取る巻取用回転体の回転を不能にする回転ロック機構を操作することが不可能になる。その結果、子供に装着したシートベルト１３０がベルト巻取具３５０から不測に繰り出してしまう可能性を確実に防止することができる。
【００４１】
以上のようにして、本実施の形態に係る自転車用子供乗せ３００によっても、上述した第１の実施の形態に係る自転車用子供乗せ１００と同様の作用効果を発現することができる。
なお、この第３の実施の形態に係る自転車用子供乗せ３００における上下方向の位置関係については、＜ベルト巻取具Ａ、ベルト固定位置Ｂ、ベルト取り出し孔位置Ｃ＞の組合せが＜下、上、下＞であって、背凭れ部にベルト巻取具が設けられる場合において、ベルト巻取具と、背凭れ部に設けられたシートベルトの取り出し孔とが上下方向の同じ側に位置することになる。このような上下方向の同じ側に位置する態様として、この第３の実施の形態に係る自転車用子供乗せ３００において、ベルト巻取具Ａ、ベルト固定位置Ｂおよびベルト取り出し孔位置Ｃのそれぞれを上下方向逆の位置に変更することも好ましい（これを第３の実施の形態の変形例と記載する場合がある）。
【００４２】
この場合には、＜ベルト巻取具Ａ、ベルト固定位置Ｂ、ベルト取り出し孔位置Ｃ＞の組合せが＜上、下、上＞となるが、この場合であっても、背凭れ部にベルト巻取具が設けられる場合において、ベルト巻取具と、背凭れ部に設けられたシートベルトの取り出し孔とが上下方向の同じ側に位置することになる。
＜第４の実施の形態＞
以下、本発明の第４の実施の形態に係る自転車用子供乗せ４００について、この自転車用子供乗せ４００の正面図（図７（Ａ））、断面を含む側面図（図７（Ｂ））、背面図（図７（Ｃ））、上面図（図８（Ａ））、断面を含む上面図（図８（Ｂ））底面図（図８（Ｃ））を参照して詳しく説明する。
【００４３】
なお、この自転車用子供乗せ４００は、上述した第１の実施の形態に係る自転車用子供乗せ１００からベルト巻取具の取付位置が変更され、その取付位置の変更に伴いシートベルトの取り回しが異なる。それ以外の構造であって第１の実施の形態と同じ構造については第１の実施の形態と同じ符号を付している。それらについての説明は、上述した説明と重複するために、ここでは繰り返して説明しない。特に、上述した実施の形態に係る自転車用子供乗せ１００、自転車用子供乗せ２００および自転車用子供乗せ３００においては（第３の実施の形態の変形例を除いて）、背凭れ部１２０の上部におけるベルト固定部１２４においてシートベルトが固定されていた点で共通するが、本実施の形態に係る自転車用子供乗せ４００は、背凭れ部１２０の腰部（背凭れ部１２０の下部）におけるベルト固定部４２４においてシートベルトが固定されている点で異なる（第３の実施の形態の変形例と同じ）。
【００４４】
これらの図７および図８に示すように、本実施の形態に係る自転車用子供乗せ４００の特徴的な構成として、ベルト巻取具４５０は、座部１１０の左右方向中央部で前方であって座面の下方に設けられ、背凭れ部１２０の腰部の左右においてベルト固定部４２４にそれぞれ固定される２本のシートベルト１３０（右側シートベルト１３０Ｒおよび左側シートベルト１３０Ｌ）を、バックル１４０の孔１４２Ｈを通して、背凭れ部１２０の上側の左右に設けられた孔４２６と背凭れ部１２０の後側および座部１１０の下側とを経由して巻き取る。第１の実施の形態に係る自転車用子供乗せ１００および第２の実施の形態に係る自転車用子供乗せ２００のベルト巻取具１５０が背凭れ部１２０の後側の上方に、第３の実施の形態に係る自転車用子供乗せ３００のベルト巻取具３５０が背凭れ部１２０の後
側の下方に設けられていたことに対して、この自転車用子供乗せ４００のベルト巻取具４５０は座部１１０の左右方向中央部で前方であって座面の下方に設けられている。また、この自転車用子供乗せ４００におけるベルト巻取具４５０は、一重巻取りタイプ（シートベルト巻取装置１８）および二重巻取りタイプ（ベルト巻取具５２）のいずれであっても構わないが、シートベルトの巻取り巻出し口４５２は下方を向いている。なお、本実施の形態におけるベルト巻取具４５０は、第１の実施の形態と同じく、一重巻取りタイプで図示している。
【００４５】
以上のような構成を備えた本実施の形態に係る自転車用子供乗せ４００の使用方法について説明する。
この自転車用子供乗せ４００に子供を着座させていない場合には、バックル１４０のオス部材１４２とメス部材１４４とが係合していても係合していなくても、２本のシートベルト１３０（右側シートベルト１３０Ｒおよび左側シートベルト１３０Ｌ）は、ベルト巻取具４５０により巻き取られており、背凭れ部１２０のベルト固定部４２４からバックル１４０のオス部材１４２を経由してベルト巻取具４５０まで最短の長さに保持されている。
【００４６】
バックル１４０のオス部材１４２とメス部材１４４とが係合している場合にはその係合を開放して、子供を自転車用子供乗せ４００の座部１１０に着座させる。なお、係合が開放されたシートベルト１３０は、ベルト巻取具４５０により、バックル１４０のオス部材１４２が背凭れ部１２０のベルト固定部４２４あたりまで、巻き取られる。子供を座部１１０に着座させると、背凭れ部１２０のベルト固定部４２４あたりにあるバックル１４０のオス部材１４２を引っ張って（このときシートベルト１３０は背凭れ部１２０の上方に設けられた孔４２６から伸びてくる）ベルト巻取具４５０からシートベルト１３０を引き出して、バックル１４０のオス部材１４２とメス部材１４４とを係合させる。このとき、シートベルト１３０におけるベルト固定部４２４からバックル１４０までの部分が子供の左右両側の腰部を押圧して、シートベルト１３０におけるバックル１４０から孔４２６までの部分（シートベルトカバー１６０の部分）が子供の左右両側の肩部を押圧して、バックル１４０に連結された固定シートベルト１４６が子供の股部を押圧して、子供を５点で拘束することができる。
【００４７】
この自転車用子供乗せ４００にこのように拘束された子供は、座部１１０の左右方向中央部で前方であって座面の下方に設けられているベルト巻取具４５０まで手が届かない。特に、ロック解除部４５４（シートベルト巻取装置１８においてはロック用操作具４０）をグリップ１１２の根元よりもさらに前側になるようにベルト巻取具４５０を設けると、この自転車用子供乗せ４００に拘束された子供は、ベルト巻取具４５０のロック解除部４５４まで手が届かない。このため、子供がベルト巻取具４５０のロック解除部４５４を操作することが不可能になり、シートベルト１３０を巻き取る巻取用回転体の回転を不能にする回転ロック機構を操作することが不可能になる。その結果、子供に装着したシートベルト１３０がベルト巻取具４５０から不測に繰り出してしまう可能性を確実に防止することができる。
【００４８】
特に、簡単な構造で操作性が好ましく安価で耐久性の高い回転ロック機構を備えたベルト巻取具４５０であっても、そもそも子供の手が届かないので、子供に装着したシートベルト１３０がベルト巻取具４５０から不測に繰り出してしまう可能性を確実に防止することができる。
以上のようにして、本実施の形態に係る自転車用子供乗せ４００によっても、上述した第１の実施の形態に係る自転車用子供乗せ１００と同様の作用効果を発現することができる。
＜第５の実施の形態＞
以下、本発明の第５の実施の形態に係る自転車用子供乗せ６００について、この自転車用子供乗せ６００の正面図（図９（Ａ））、断面を含む側面図（図９（Ｂ））、背面図（図９（Ｃ））、上面図（図１０（Ａ））、底面図（図１０（Ｂ））を参照して詳しく説明する。
【００４９】
この第５の実施の形態に係る自転車用子供乗せ６００を説明する前に、上述した実施の形態に係る自転車用子供乗せにおける上下方向の位置関係について説明する。
上述した第１の実施の形態に係る自転車用子供乗せ１００および第２の実施の形態に係る自転車用子供乗せ２００における上下方向の位置関係については、＜ベルト巻取具Ａ、ベルト固定位置Ｂ、ベルト取り出し孔位置Ｃ＞の組合せが＜上、上、下＞であって、背凭れ部にベルト巻取具が設けられる場合において、ベルト巻取具と、背凭れ部に設けられたシートベルトの取り出し孔とが上下方向の反対側に位置することになる。
【００５０】
第３の実施の形態に係る自転車用子供乗せ３００における上下方向の位置関係については、＜ベルト巻取具Ａ、ベルト固定位置Ｂ、ベルト取り出し孔位置Ｃ＞の組合せが＜下、上、下＞であって、背凭れ部にベルト巻取具が設けられる場合において、ベルト巻取具と、背凭れ部に設けられたシートベルトの取り出し孔とが上下方向の同じ側に位置することになる。さらに第３の実施の形態の変形例における上下方向の位置関係については、＜ベルト巻取具Ａ、ベルト固定位置Ｂ、ベルト取り出し孔位置Ｃ＞の組合せが＜上、下、上＞であって、背凭れ部にベルト巻取具が設けられる場合において、ベルト巻取具と、背凭れ部に設けられたシートベルトの取り出し孔とが上下方向の同じ側に位置することになる。
【００５１】
このような観点から見ると、この第５の実施の形態に係る自転車用子供乗せ６００は、第１の実施の形態に係る自転車用子供乗せ１００および第２の実施の形態に係る自転車用子供乗せ２００において、ベルト巻取具Ａ、ベルト固定位置Ｂおよびベルト取り出し孔位置Ｃのそれぞれを上下方向逆の位置に変更したものである。すなわち、自転車用子供乗せ６００における＜ベルト巻取具Ａ、ベルト固定位置Ｂ、ベルト取り出し孔位置Ｃ＞の組合せが＜下、下、上＞であって、背凭れ部にベルト巻取具が設けられる場合において、ベルト巻取具と、背凭れ部に設けられたシートベルトの取り出し孔とが上下方向の反対側に位置することになる。
【００５２】
ここで、ベルト巻取具Ａ、ベルト固定位置Ｂおよびベルト取り出し孔位置Ｃの上下方向の位置にはそれぞれについて上下が存在する。そのため、組合せとしては２×２×２の８通りがあるものの、ベルト固定位置Ｂとベルト取り出し孔位置Ｃとが同じ方向である自転車用子供乗せは実現困難であるため、考え得る＜ベルト巻取具Ａ、ベルト固定位置Ｂ、ベルト取り出し孔位置Ｃ＞についての全ての組合せは（大きくは２つの場合があってそれぞれにさらに２つずつの態様が存在）、
＜上、上、下＞（第１の実施の形態、第２の実施の形態）およびそれぞれが逆である＜下、下、上＞（第５の実施の形態）である、ベルト巻取具と背凭れ部に設けられたシートベルトの取り出し孔とが上下方向の反対側に位置する第１の場合と、
＜下、上、下＞（第３の実施の形態）およびそれぞれが逆である＜上、下、上＞（第３の実施の形態の変形例）である、ベルト巻取具と背凭れ部に設けられたシートベルトの取り出し孔とが上下方向の同じ側に位置する第２の場合となり、
本発明においては、考え得る全ての組合せを含むことになる。これを踏まえて、以下において、この第５の実施の形態に係る自転車用子供乗せ６００について説明する。
【００５３】
この自転車用子供乗せ６００は、背凭れ部１２０の上部にベルト巻取具１５０が取り付けられていた第１の実施の形態に係る自転車用子供乗せ１００に対して、第３の形態に係る自転車用子供乗せ３００のように背凭れ部１２０の下部にベルト巻取具６５０が取り付けられている点で異なり（自転車用子供乗せ１００に対して巻取具の取付位置が上下逆で自転車用子供乗せ３００に類似）、背凭れ部１２０の上部におけるベルト固定部１２４においてシートベルトが固定されていた第１の実施の形態に係る自転車用子供乗せ１００に対して、第４の形態に係る自転車用子供乗せ４００と同じく背凭れ部１２０の腰部（背凭れ部１２０の下部）におけるベルト固定部４２４においてシートベルトが固定されている点で異なる（自転車用子供乗せ１００に対してシートベルトの固定位置が上下逆で自転車用子供乗せ４００に同一）。このような点が異なることによりシートベルトの取り回しが異なる。それ以外の構造であって第１の実施の形態または第４の実施の形態と同じ構造については第１の実施の形態または第４の実施の形態と同じ符号を付している。それらについての説明は、上述した説明と重複するために、ここでは繰り返して説明しない。
【００５４】
これらの図９および図１０に示すように、本実施の形態に係る自転車用子供乗せ６００の特徴的な構成として、ベルト巻取具６５０は、背凭れ部１２０の後側の下方に設けられ、背凭れ部１２０の腰部（下部）の左右においてベルト固定部４２４にそれぞれ固定される２本のシートベルト１３０（右側シートベルト１３０Ｒおよび左側シートベルト１３０Ｌ）を、バックル１４０の孔１４２Ｈを通して、背凭れ部１２０の上側の左右に設けられた孔４２６と背凭れ部１２０の後側とを経由して巻き取る。
【００５５】
このベルト巻取具６５０は、２本のシートベルト１３０（右側シートベルト１３０Ｒおよび左側シートベルト１３０Ｌ）を結合部６３２で１本の結合シートベルト６３４に結合した後に巻き取る。なお、１本の結合シートベルト６３４に結合することなく、２本のシートベルトを巻き取るベルト巻取具を採用しても構わない。
このような背凭れ部１２０の後側の下方にベルト巻取具６５０を備えることにより、ベルト巻取具６５０が背凭れ部１２０の後側に設けられることには違いなく、背凭れ部１２０の後側の下方に設けられた場合（第３の実施の形態）と同様に、この自転車用子供乗せ６００に拘束された子供は、背凭れ部１２０の後側の下方に設けられているベルト巻取具６５０まで手が届かない。このため、子供がベルト巻取具６５０を操作することが不可能になり、シートベルト１３０を巻き取る巻取用回転体の回転を不能にする回転ロック機構を操作することが不可能になる。その結果、子供に装着したシートベルト１３０がベルト巻取具６５０から不測に繰り出してしまう可能性を確実に防止することができる。
【００５６】
さらに、子供の成長に合わせて、自転車用子供乗せ６００の背凭れ部１２０の上方には、子供の成長とともに高さ方向の位置が調整できるヘッドレスト１２２が設けられている。このようにヘッドレスト１２２の高さ方向の位置を調整する場合において、背凭れ部１２０におけるシートベルト１３０の上端位置も変更できることが好ましい。
第１の実施の形態に係る自転車用子供乗せ１００の場合にはベルト固定部１２４の高さ方向の位置を子供の成長とともに調整できる構造にする必要があるが、本実施の形態に係る自転車用子供乗せ６００の場合には背凭れ部１２０の上側の左右に設けられた孔４２６の上下方向の位置を調整することにより（たとえば上下方向に３段程度の孔４２６を設けておいてシートベルト１３０を通す孔を変更することにより）背凭れ部１２０におけるシートベルト１３０の上端位置を容易に調整できる点で好ましい。すなわち、一般的に、強固な構造であって強度が必要なシートベルトの固定側（ベルト固定部１２４）で高さ方向の位置を調整するのではなく、シートベルトの非固定側（孔４２６）で高さ方向の位置を調整する方が、容易であることが多い。
【００５７】
以上のようにして、本実施の形態に係る自転車用子供乗せ６００によっても、上述した第１の実施の形態に係る自転車用子供乗せ１００と同様の作用効果を発現することができる。
＜変形例＞
以下、上述した本発明の実施の形態に係る自転車用子供乗せに適用可能な、変形例に係るベルト巻取具５００について、図１１、図１２を参照して説明する。このベルト巻取具５００は、自転車用子供乗せ１００または自転車用子供乗せ２００に好ましく適用されるが、自転車用子供乗せ３００へ適用できないと限定されるわけではなく、上述した本発明の実施の形態に係る自転車用子供乗せ１００〜３００に適宜適用できる。
【００５８】
上述した上述した本発明の実施の形態に係る自転車用子供乗せ１００〜３００におけるベルト巻取具としては、一例として、２本のシートベルトを１本の結合シートベルトに結合した後に巻き取る国際公開ＷＯ２０１５／１２５２５７号公報に開示されたシートベルト巻取装置１８、または、２本のシートベルトを１本の結合シートベルトに結合することなく２本のシートベルトを重ねて巻き取る特許文献１に開示されたベルト巻取具５２、が採用されている。
【００５９】
本変形例に係るベルト巻取具５００は、２本のシートベルトを１本の結合シートベルトに結合することなく２本のシートベルトを巻き取るものであるが、ベルト巻取具５２とは異なり、２本のシートベルトを重ねて巻き取るものではない。
図１１、図１２に示すように、このベルト巻取具５００は、大略的には、２本のシート
ベルトを（重ねることなく）１本ずつ巻き取る巻取用回転体５５９を、巻取用回転体５５９の回転軸（Ｒ軸）に平行な左右方向に２個並べて設けられ（第１の巻取用回転体５５９Ａおよび第２の巻取用回転体５５９Ｂ）、これらの巻取用回転体５５９（第１の巻取用回転体５５９Ａおよび第２の巻取用回転体５５９Ｂ）は、巻取ケース５５８内に設けられた巻取バネ（図示しない）によりシートベルトの巻き取り方向に回転自在に付勢され、このベルト巻取具５００には、これら２個の巻取用回転体５５９（第１の巻取用回転体５５９Ａおよび第２の巻取用回転体５５９Ｂ）の回転を不能にする１個の回転ロック機構５６６が設けられている。ここでは、巻取用回転体５５９の回転軸（Ｒ軸）に平行な方向を左右方向としている。
【００６０】
なお、巻取バネは、左右の巻取用回転体５５９（第１の巻取用回転体５５９Ａおよび第２の巻取用回転体５５９Ｂ）で共用して１個のみ設けるようにしても構わないし、左右の巻取用回転体５５９（第１の巻取用回転体５５９Ａおよび第２の巻取用回転体５５９Ｂ）にそれぞれ設けるようにしても構わない。
図１１、図１２に示すように、ベルト巻取具５００は巻取ケース５５８と、２本のシートベルトをそれぞれ巻き取る巻取用回転体５５９（第１の巻取用回転体５５９Ａおよび第２の巻取用回転体５５９Ｂ）とを有し、巻取ケース５５８内には左右一対の巻取用回転体５５９（第１の巻取用回転体５５９Ａおよび第２の巻取用回転体５５９Ｂ）が収納されている。巻取用回転体５５９（第１の巻取用回転体５５９Ａおよび第２の巻取用回転体５５９Ｂ）は、いずれも、巻取ケース５５８内に左右方向に延びた回転軸（Ｒ軸）廻りに、回転自在に収納され、巻取バネにより巻取用回転体５５９（第１の巻取用回転体５５９Ａおよび第２の巻取用回転体５５９Ｂ）がシートベルトを巻き取る方向に回転自在に付勢されている。
【００６１】
ここで、限定されるものではないが、第１の巻取用回転体５５９ＡのＲ軸廻りの回転と第２の巻取用回転体５５９ＢのＲ軸廻りの回転とは、別個のものであって、個別に独立して回転するものである。
巻取ケース５５８内に、ラチェット機構５６５（より詳しくは第１のラチェット機構５６５Ａおよび第２のラチェット機構５６５Ｂ）と、巻取用回転体５５９の回転を不能にする回転ロック機構５６６とが設けられ、巻取ケース５５８の外側にラチェット操作具５６７が設けられている。
【００６２】
ラチェット機構５６５（第１のラチェット機構５６５Ａおよび第２のラチェット機構５６５Ｂ）は、第１の巻取用回転体５５９Ａに設けた第１のラチェット用歯車５６８Ａと第２の巻取用回転体５５９Ｂに設けた第２のラチェット用歯車５６８Ｂにそれぞれ係脱自在に係合する左右一対の第１のラチェット爪５６９Ａおよび第２のラチェット爪５６９Ｂとを有し、巻取ケース５５８内に、第１のラチェット爪５６９Ａおよび第２のラチェット爪５６９Ｂを左右一対に有する爪構成部材５７０がラチェット用歯車５６８（第１のラチェット用歯車５６８Ａおよび第２のラチェット用歯車５６８Ｂ）に向けて移動自在に保持され、巻取ケース５５８内に爪構成部材５７０をラチェット用歯車５６８（第１のラチェット用歯車５６８Ａおよび第２のラチェット用歯車５６８Ｂ）に向けて付勢するラチェット用バネ（図示しない）が設けられ、ラチェット機構５６５（第１のラチェット機構５６５Ａおよび第２のラチェット機構５６５Ｂ）は巻取用回転体５５９（第１の巻取用回転体５５９Ａおよび第２の巻取用回転体５５９Ｂ）の繰り出し方向への回転のみを許して巻き取り方向への回転を不能にするように構成されている。すなわち、第１の巻取用回転体５５９Ａの第１のラチェット用歯車５６８Ａに係合する第１のラチェット爪５６９Ａと、第２の巻取用回転体５５９Ｂの第２のラチェット用歯車５６８Ｂに係合する第２のラチェット爪５６９Ｂとが、爪構成部材５７０に左右一対に設けられて構成されている。
【００６３】
回転ロック機構５６６は、巻取ケース５５８内に設けた係止部５７３と、ロック位置Ｘとロック解除位置Ｙとに回動操作可能なロック部材５７４とを備える。ラチェット操作具５６７は巻取ケース５５８の外面側に配置され、ラチェット操作具５６７とロック部材５７４とが互いに連結棒５７１により連結固定されて、爪構成部材５７０に対してＳ軸廻りに回動可能に連結され、ラチェット操作具５６７をＳ軸廻りに回動することにより、ロッ
ク部材５７４がラチェット操作具５６７に連動してＳ軸廻りにロック位置Ｘとロック解除位置Ｙとの間を回動する。
【００６４】
ラチェット操作具５６７でロック部材５７４をロック位置Ｘに回動したときに、ロック部材５７４が係止部５７３に係合することにより、左右両方のラチェット爪５６９がラチェット用歯車５６８に係合した状態で爪構成部材５７０がラチェット用歯車５６８側にロックされ、これにより、回転ロック機構５６６はラチェット爪５６９をラチェット用歯車５６８に係合した状態にロックして巻取用回転体５５９の回転を不能にする。
【００６５】
また、ラチェット操作具５６７でロック部材５７４をロック解除位置Ｙに回動したときに、ロック部材５７４が係止部５７３から外れることにより、左右両方のラチェット爪５６９がラチェット用歯車５６８から外れるように爪構成部材５７０がラチェット用歯車５６８側から後退可能とされ、これにより、回転ロック機構５６６によるロックが解除可能になる。従って、ラチェット操作具５６７は、ラチェット爪５６９をラチェット用歯車５６８から離間させるためのラチェット操作具としての機能を有するとともに、回転ロック機構５６６をロック状態とロック解除状態とに切り換え操作するための切り換え操作具の機能を有する。
【００６６】
ロック部材５７４がロック解除位置Ｙに回動した状態でラチェット操作具５６７をＳ軸方向に引っ張る（移動する）ことにより、ラチェット用バネの付勢に抗して爪構成部材５７０がロック部材５７４とともに左右両方のラチェット用歯車５６８から離間して左右両方のラチェット爪５６９が左右両方のラチェット用歯車５６８から外れるように構成され、これにより、ラチェット爪５６９をラチェット用歯車５６８から離間させて、巻取用回転体５５９を巻取バネの付勢により巻き取り方向に自動的に回転させる。
【００６７】
以上のような構造を備えたベルト巻取具５００において、２本のシートベルトを繰り出す場合、ラチェット操作具５６７をＳ軸廻りに回動操作してロック部材５７４をロック位置Ｘからロック解除位置Ｙに回動した後、２本のシートベルトを引っ張ればよく、２本のシートベルトをベルト巻取具５００から簡単に繰り出すことができる。２本のシートベルトを巻き取る場合、ラチェット操作具５６７をＳ軸廻りに回動操作してロック部材５７４をロック解除位置Ｙに回動した後にラチェット操作具５６７を上方に引っ張ればよく、巻取用回転体５５９を巻取バネの付勢により巻き取り方向に自動的に回転させて、２本のシートベルトをベルト巻取具５００に簡単に巻き取ることができる。また、シートベルトを子供に装着する場合は、子供が自転車用子供乗せに座った後にベルト巻取具５００からシートベルトを繰り出してバックルと連結すればよく、シートベルトを子供に簡単に装着することができる。そして、その後、ラチェット操作具５６７を回動操作してロック部材５７４をロック解除位置Ｙからロック位置Ｘに回動しておけば、ロック部材５７４が係止部５７３に係合することにより、ラチェット爪５６９がラチェット用歯車５６８に係合した状態で爪構成部材５７０がラチェット用歯車５６８側にロックされ、シートベルトは繰り出し不能になる。
【００６８】
また、ラチェット爪５６９をラチェット用歯車５６８に係合した状態にロックして巻取用回転体５５９の回転を不能にする回転ロック機構５６６が設けられているので、自転車用子供乗せに座った子供にシートベルトを装着した後に、巻取用回転体５５９をロックすることにより、自転車用子供乗せに座った子供がいたずら等でベルト巻取具５００からシートベルトを必要以上に繰り出すようなことができなくなり、自転車用子供乗せに座った子供に対してシートベルトの良好な装着状態を保持することができる。また、巻取用回転体５５９を巻取バネの付勢によりシートベルトの巻き取り方向に回転させるように、ラチェット爪５６９をラチェット用歯車５６８から離間させるラチェット操作具５６７が設けられているで、子供に装着したシートベルトを取り外す際には、回転ロック機構５６６で２本のシートベルトが繰り出し不能にロックされた状態から、ラチェット操作具５６７を操作することによって、繰り出された２本のシートベルトを巻取バネの付勢によって自動的に巻き取ることができ、便利である。
【００６９】
以上のようにして、本変形例に係るベルト巻取具５００を上述した実施の形態に係る自転車用子供乗せに適用することにより、上述した実施の形態に係る自転車用子供乗せと同
様の作用効果を発現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７０】
たとえば、このような変形として、第２の実施の形態に係る自転車用子供乗せ２００（図３、図４）において適用されたベルト折り返し部２３０は、全ての実施の形態に係る自転車用子供乗せにおいて適用することが挙げられる。
さらに、左右２本のシートベルトを巻き取る場合における変形として、（１）左右２本のシートベルトを結合部で１本の結合シートベルトに結合してから巻き取るタイプ、（２）第３の実施の形態に係る自転車用子供乗せ３００において適用されたベルト巻取具３５０（重ねて巻き取り）および変形例に係るベルト巻取具５００（重ねないで巻き取り）のように左右２本のシートベルトを結合することなく巻き取るタイプ、のいずれのタイプについても、全ての実施の形態に係る自転車用子供乗せにおいて適用することが挙げられる。
【産業上の利用可能性】
【００７１】
本発明は、自転車に取り付けられる子供乗せに好適であり、この子供乗せに着座した子供がいたずらでロック操作具を操作することを防止できて、子供に装着したシートベルトが巻取用回転体から不測に繰り出してしまう可能性を確実に防止することができる点で特に好適である。
【符号の説明】
【００７２】
１００  自転車用子供乗せ（第１の実施の形態）
１１０  座部
１１２  グリップ
１１４  固定部
１２０  背凭れ部
１２２  ヘッドレスト
１２４  ベルト固定部
１２６  孔
１３０  シートベルト
１３０Ｒ  右側シートベルト
１３０Ｌ  左側シートベルト
１３２  結合部
１３４  結合シートベルト
１４０  バックル
１４２  オス部材
１４２Ｈ  孔
１４４  メス部材
１４６  固定シートベルト
１４６Ｈ  孔
１５０  ベルト巻取具
１５２  巻取り巻出し口
１６０  シートベルトカバー
２００  自転車用子供乗せ（第２の実施の形態）
２３０  ベルト折り返し部
２３２  下側保持ガイド
２３４  上側保持ガイド
３００  自転車用子供乗せ（第３の実施の形態）
３５０  ベルト巻取具
３５２Ｒ  右側シートベルト巻取り巻出し口
３５２Ｌ  左側シートベルト巻取り巻出し口
４００  自転車用子供乗せ（第４の実施の形態）
４２４  ベルト固定部
４２６  孔
４５０  ベルト巻取具
４５２  巻取り巻出し口
５００  （変形例に係る）ベルト巻取具
６００  自転車用子供乗せ（第５の実施の形態）
６５０  ベルト巻取具
【図１】
2017190116.tif 000003
【図２】
2017190116.tif 000004
【図３】
2017190116.tif 000005
【図４】
2017190116.tif 000006
【図５】
2017190116.tif 000007
【図６】
2017190116.tif 000008
【図７】
2017190116.tif 000009
【図８】
2017190116.tif 000010
【図９】
2017190116.tif 000011
【図１０】
2017190116.tif 000012
【図１１】
2017190116.tif 000013
【図１２】
2017190116.tif 000014